(57)【要約】      （修正有）【課題】撮像装置を不要に起動することなく、記録された画像の記録情報を確認できるようにする装置及び制御方法を提供する。【解決手段】画像を取得する撮像手段Ａ１０２と、撮像手段Ａ１０２により取得した画像を記録する画像記録手段Ａ１１０と、画像記録手段Ａ１１０の記録情報を保持する第１の記録情報保持手段Ａ１０４と、外部の操作装置からの電力のみで通信可能な第１の近距離通信手段Ａ１１２と、第１の近距離通信手段Ａ１１２を介して、操作装置より操作情報を受信する操作情報受信手段と、第１の近距離通信手段Ａ１１２を介して得られる電力を用いて、操作情報受信手段の操作情報と第１の記録情報保持手段Ａ１０４に保持されている記録情報から、起動モードを決定する起動モード決定手段とを有する。起動モード決定手段の結果に基き撮像手段Ａ１０２、画像記録手段Ａ１１０又は第１の遠距離通信手段Ａ１１２に関する電力を供給する。【選択図】図１
2016100722.tif 000002
【特許請求の範囲】
【請求項１】
画像を取得する撮像手段と、
前記撮像手段により取得した画像を記録する画像記録手段と、
前記画像記録手段の記録情報を保持する第１の記録情報保持手段と、
外部の操作装置からの電力のみで通信可能な第１の近距離通信手段と、
前記第１の近距離通信手段を介して、前記操作装置より操作情報を受信する操作情報受信手段と、
前記第１の近距離通信手段を介して得られる電力を用いて、前記操作情報受信手段の操作情報と前記第１の記録情報保持手段に保持されている記録情報から、起動モードを決定する起動モード決定手段とを有し、
前記起動モード決定手段の結果に基き前記撮像手段、前記画像記録手段、または第１の遠距離通信手段に関する電力を供給することを特徴とする撮像装置。
【請求項２】
撮像装置に電力供給と情報通信が可能な第２の近距離通信手段と、
前記第２の近距離通信手段を介して、前記撮像装置の記録情報を受信し保持する第２の記録情報保持手段と、
前記撮像装置を操作する操作モードを選択する操作モード選択手段と、
前記操作モード選択手段により選択された操作モードの選択情報をユーザーに表示する表示手段とを有し、
前記第２の記録情報保持手段の記録情報と、前記操作モード選択手段により選択された操作モードを基に、操作情報を生成することを特徴とする操作装置。
【請求項３】
前記第１の近距離通信手段を介して得られる電力を用いて、前記第１の記録情報保持手段の記録情報と前記操作装置が有する第２の記録情報保持手段の記録情報を比較する記録情報比較手段を有し、
前記記録情報比較手段の結果により前記撮像手段、前記画像記録手段、または遠距離通信手段に関する電力を供給することを特徴とする請求項１に記載の撮像装置。
【請求項４】
前記第１の近距離通信手段を介して得られる電力を用いて、前記操作装置から送信される操作情報に基づき前記第１の記録情報保持手段に保持されている記録情報を上書きすることを特徴とする請求項１に記載の撮像装置。
【請求項５】
起動時に、前記第１の記録情報保持手段に保持されている記録情報を読み出し、読み出した記録情報に更新がある場合は、前記記録情報に基づき前記画像記録手段の記録情報を変更することを特徴とする請求項１または４に記載の撮像装置。
【請求項６】
前記第２の記録情報保持手段に保持されている記録情報と、新たに前記撮像装置と接続した際に取得した前記撮像装置の記録情報が異なる場合に、差分に関する情報を前記表示手段に表示することを特徴とする請求項２に記載の操作装置。
【請求項７】
前記操作装置の個体情報を、前記撮像手段において取得した画像に付加する個体情報付加手段と、
前記個体情報を基に、画像の閲覧権限を設定する画像閲覧権限設定手段とを有し、
前記記録情報比較手段は、閲覧権限がある画像についてのみ前記第１の記録情報保持手段に保持されている記録情報と前記第２の記録情報保持手段の記録情報を比較することを特徴とする請求項３に記載の撮像装置。
【請求項８】
画像を取得する撮像工程において取得した画像を記録する画像記録工程と、
前記画像記録工程の記録情報を保持する第１の記録情報保持工程と、
外部の操作装置からの電力のみで通信可能な第１の近距離通信工程と、
前記第１の近距離通信工程を介して、前記操作装置より操作情報を受信する操作情報受信工程と、
前記第１の近距離通信工程を介して得られる電力を用いて、前記操作情報受信工程の操作情報と前記第１の記録情報保持工程に保持されている記録情報から、起動モードを決定する起動モード決定工程とを有し、
前記起動モード決定工程の結果に基き前記撮像工程、前記画像記録工程、または第１の遠距離通信工程に関する電力を供給することを特徴とする撮像装置の制御方法。
【請求項９】
撮像装置に電力供給と情報通信が可能な第２の近距離通信工程と、
前記第２の近距離通信工程を介して、前記撮像装置の記録情報を受信し保持する第２の記録情報保持工程と、
前記撮像装置を操作する操作モードを選択する操作モード選択工程と、
前記操作モード選択工程において選択された操作モードの選択情報をユーザーに表示する表示工程とを有し、
前記第２の記録情報保持工程の記録情報と、前記操作モード選択工程において選択された操作モードを基に、操作情報を生成することを特徴とする操作装置の制御方法。
【請求項１０】
画像を取得する撮像工程において取得した画像を記録する画像記録工程と、
前記画像記録工程の記録情報を保持する第１の記録情報保持工程と、
外部の操作装置からの電力のみで通信可能な第１の近距離通信工程と、
前記第１の近距離通信工程を介して、前記操作装置より操作情報を受信する操作情報受信工程と、
前記第１の近距離通信工程を介して得られる電力を用いて、前記操作情報受信工程の操作情報と前記第１の記録情報保持工程に保持されている記録情報から、起動モードを決定する起動モード決定工程とをコンピュータに実行させるプログラムであって、
前記起動モード決定工程の結果に基き前記撮像工程、前記画像記録工程、または第１の遠距離通信工程に関する電力を供給することをコンピュータに実行させることを特徴とするプログラム。
【請求項１１】
撮像装置に電力供給と情報通信が可能な第２の近距離通信工程と、
前記第２の近距離通信工程を介して、前記撮像装置の記録情報を受信し保持する第２の記録情報保持工程と、
前記撮像装置を操作する操作モードを選択する操作モード選択工程と、
前記操作モード選択工程において選択された操作モードの選択情報をユーザーに表示する表示工程とをコンピュータに実行させるプログラムであって、
前記第２の記録情報保持工程の記録情報と、前記操作モード選択工程において選択された操作モードを基に、操作情報を生成することをコンピュータに実行させることを特徴とするプログラム。
【発明の詳細な説明】
【技術分野】
【０００１】
本発明は撮像装置及び撮像装置の制御方法に関し、特に、無線通信可能な撮像装置に用いて好適な技術に関する。
【背景技術】
【０００２】
近年、撮像装置に無線通信機能を搭載し、撮像画像を無線通信で他の機器に送信する技術が知られている。例えば、特許文献１には、第１の撮像装置が撮像した画像を無線通信で第２の撮像装置にリアルタイムに送信し、その画像を第２の撮像装置の表示部で常時確認することが可能な技術が記載されている。また、特許文献１では、第２の撮像装置に搭載しているタッチパネル上のボタン操作で、第１の撮像装置を遠隔制御することが可能な技術も記載されている。
【０００３】
更に、撮像画像を他の機器に送信することを想定し、自身は表示部を持たないレンズスタイルカメラも知られている。レンズスタイルカメラでは、表示部を持つ携帯端末等の機器に装着して撮像するスタイルが主流となっており、ユーザーは携帯端末上の表示部において、レンズスタイルカメラの撮像画像をリアルタイムに確認することが可能である。
このようなレンズスタイルカメラでは、図２に示すように１台のレンズスタイルカメラ（図２中のデジタルカメラＡ１００）を、複数の携帯端末が使いまわして利用することも考えられる。
【先行技術文献】
【特許文献】
【０００４】
【特許文献１】特開２００７−８１５３７号公報
【発明の概要】
【発明が解決しようとする課題】
【０００５】
しかしながら、特許文献１において提案された撮像装置では、無線通信を用いた遠隔操作や画像情報を送受信するために、第１の撮像装置と第２の撮像装置は、共に電源投入され起動している必要がある。
【０００６】
また、レンズスタイルカメラのように表示部を持たない場合は、カメラ内の記録されている画像を確認するだけでも、記録画像に更新が有るか無いかに関わらず、カメラの電源をＯＮにし、表示部を持つ携帯端末と無線通信などで接続する必要がある。そのため、記録画像に更新が無い場合は、不要にカメラの電力を消費することになる問題点があった。
本発明は前述の問題点に鑑み、撮像装置を不要に起動することなく、記録された画像の記録情報を確認できるようにすることを目的としている。
【課題を解決するための手段】
【０００７】
本発明の撮像装置は、画像を取得する撮像手段と、前記撮像手段により取得した画像を記録する画像記録手段と、前記画像記録手段の記録情報を保持する第１の記録情報保持手段と、外部の操作装置からの電力のみで通信可能な第１の近距離通信手段と、前記第１の近距離通信手段を介して、前記操作装置より操作情報を受信する操作情報受信手段と、前記第１の近距離通信手段を介して得られる電力を用いて、前記操作情報受信手段の操作情報と前記第１の記録情報保持手段に保持されている記録情報から、起動モードを決定する起動モード決定手段とを有し、前記起動モード決定手段の結果に基き前記撮像手段、前記画像記録手段、または第１の遠距離通信手段に関する電力を供給することを特徴とする。
【発明の効果】
【０００８】
本発明によれば、近距離無線通信によりカメラの画像記録情報を取得することで、撮像装置を不要に起動することなく、記録された画像の記録情報を確認することが可能となる。
【図面の簡単な説明】
【０００９】
【図１】第１〜第３の実施形態におけるデジタルカメラおよびスマートフォンの構成例を示すブロック図である。
【図２】第１の実施形態におけるデジタルカメラと複数のスマートフォンの外観、および無線通信による通信関係を示した概念図である。
【図３】（ａ）は第１の実施形態における撮像モード時のスマートフォンの表示画面を示した概念図である。（ｂ）は第１の実施形態における再生モード時のスマートフォンＢ１００の表示画面を示した概念図である。
【図４】（ａ）は第１の実施形態における撮像モード時のスマートフォンの表示画面を示した概念図である。（ｂ）は第１の実施形態における再生モード時のスマートフォンＣ１００の表示画面を示した概念図である。
【図５】（ａ）は第１の実施形態における再生モード時にデジタルカメラのメディア記録情報とスマートフォンのメディア記録情報で差分が有った時の表示画面を示した概念図である。（ｂ）は第１の実施形態における再生モード時に更新画像を受信した時のスマートフォンの表示画面を示した概念図である。
【図６】第１の実施形態におけるサブ制御部の処理手順を示すフローチャートである。
【図７】第１〜第３の実施形態における制御部のデジタルカメラの処理手順を示すフローチャートである。
【図８】第１の実施形態におけるスマートフォンの制御部の処理手順を示すフローチャートである。
【図９】第１の実施形態における共有設定を解除する際のスマートフォンの表示画面を示した概念図である。
【図１０】（ａ）は第２の実施形態における削除する画像を選択した際のスマートフォンの表示画面を示した概念図である。（ｂ）は第２の実施形態における選択した削除対象画像が削除された後のスマートフォンの表示画面を示した概念図である。
【図１１】第２の実施形態におけるサブ制御部の処理手順を示すフローチャートである。
【図１２】第２の実施形態におけるスマートフォンの制御部の処理手順を示すフローチャートである。
【図１３】第３の実施形態におけるサブ制御部の処理手順を示すフローチャートである。
【図１４】第３の実施形態におけるスマートフォンの制御部の処理手順を示すフローチャートである。
【発明を実施するための形態】
【００１０】
以下に、本発明を実施するための形態について、添付の図面を用いて詳細に説明する。
なお、以下に説明する実施の形態は、本発明の実現手段としての一例であり、本発明が適用される装置の構成や各種条件によって適宜修正または変更されてもよい。また、各実施の形態を適宜組み合せることも可能である。
【００１１】
［第１の実施形態］
図１は、本発明の実施形態を示し、通信システムを用いたシステム全体の構成を示すブロック図である。なお、ここでは撮像装置の一例としてデジタルカメラ、携帯端末の一例としてスマートフォンについて述べるが、これに限られない。それぞれ、例えば、携帯型のメディアプレーヤやいわゆるタブレットデバイス、パーソナルコンピュータ等の情報処理装置であってもよい。
【００１２】
先ず、デジタルカメラＡ１００について説明する。
制御部Ａ１０１は、入力された信号や、後述のプログラム（または処理フロー）に従ってデジタルカメラＡ１００の各部を制御する。なお、制御部Ａ１０１が装置全体を制御する代わりに、複数のハードウェアが処理を分担することで、装置全体を制御してもよい。
【００１３】
撮像部Ａ１０２は、例えば、光学レンズユニットと絞り・ズーム・フォーカス等制御する光学系と、光学レンズユニットを経て導入された光（映像）を電気的な映像信号に変換するための撮像素子等で構成される。撮像素子としては、一般的には、ＣＭＯＳ（Complementary Metal Oxide Semiconductor）や、ＣＣＤ（Charge Coupled Device Image Sensor）が利用される。
【００１４】
撮像部Ａ１０２は、制御部Ａ１０１に制御されることにより、撮像部Ａ１０２に含まれるレンズで結像された被写体光を、撮像素子により電気信号に変換し、ノイズ低減処理等を行い、デジタルデータを画像データとして出力する。本実施形態のデジタルカメラＡ１００では、画像データは、ＤＣＦ（Design rule for Camera File system）の規格に従って、記録媒体Ａ１１０に記録される。
【００１５】
不揮発性メモリＡ１０３は、電気的に消去・記録可能な不揮発性のメモリであり、制御部Ａ１０１で実行される後述のプログラム等が格納される。
作業用メモリＡ１０４は、撮像部Ａ１０２で撮像された画像データを一時的に保持するバッファメモリや、制御部Ａ１０１の作業領域等として使用される。
【００１６】
操作部Ａ１０５は、デジタルカメラＡ１００に対する指示をユーザーから受け付けるために用いられる。操作部Ａ１０５は、例えば、ユーザーがデジタルカメラＡ１００の電源のＯＮ／ＯＦＦを指示するための電源ボタンや、撮像を指示するためのレリーズスイッチ、画像データの再生を指示するための再生ボタンを含む。さらに、後述の接続部Ａ１１１を介して操作装置との通信を開始するための専用の接続ボタン等の操作部材を含む。
【００１７】
なお、不図示のレリーズスイッチは、ＳＷ１およびＳＷ２を有する。レリーズスイッチが、いわゆる半押し状態となることにより、ＳＷ１がＯＮとなる。これにより、ＡＦ（オートフォーカス）処理、ＡＥ（自動露出）処理、ＡＷＢ（オートホワイトバランス）処理、ＥＦ（フラッシュプリ発光）処理等の、静止画の撮像準備を行う指示を受け付ける。また、レリーズスイッチが、いわゆる全押し状態となることにより、ＳＷ２がＯＮとなる。これにより、静止画の撮像を行う指示を受け付ける。
【００１８】
記録媒体Ａ１１０は、撮像部Ａ１０２から出力された画像データを記録することができる。記録媒体Ａ１１０は、デジタルカメラＡ１００に着脱可能なように構成してもよいし、デジタルカメラＡ１００に内蔵されていてもよい。すなわち、デジタルカメラＡ１００は少なくとも記録媒体Ａ１１０にアクセスする手段を有していればよい。
ここまで説明した制御部Ａ１０１〜操作部Ａ１０５、記録媒体Ａ１１０は、後述する電源投入部Ａ１２３によって、撮像再生部Ａ１２０という括りで電源管理されている。
【００１９】
接続部Ａ１１１は、外部装置と接続するためのインターフェースである。本実施形態のデジタルカメラＡ１００は、接続部Ａ１１１を介して、外部装置とデータのやりとりを行うことができる。なお、本実施形態では、接続部Ａ１１１は外部装置とＩＥＥＥ８０２．１１の規格に従った、いわゆる無線ＬＡＮにより通信するためのインターフェースを含む。制御部Ａ１０１は、接続部Ａ１１１を制御することで外部装置との無線通信を実現する。
【００２０】
近距離無線通信部Ａ１１２は、他機との非接触近距離通信を実現するための通信ユニットである。近距離無線通信部Ａ１１２は、主に無線通信のためのアンテナを有し、受信したアナログ信号をデジタル信号に変換や、送信のためのデジタル信号をアナログ信号に変換する。
【００２１】
サブ制御部Ａ１２１は、近距離無線通信部Ａ１１２からのデジタル化された無線信号を処理するための変復調回路や通信コントローラから構成される。ここでは、ＩＳＯ／ＩＥＣ １８０９２の規格（いわゆるＮＦＣ：Near Field Communication）に従った非接触通信を実現する。
【００２２】
さらに、サブ制御部Ａ１２１は、近距離無線通信で使用する情報を暗号化して記憶されたセキュアメモリＡ１２２に対して情報の読み出し、書き込みを実施する。また、サブ制御部Ａ１２１は、電源投入部Ａ１２３に対し制御信号を送ることで、撮像再生部Ａ１２０に電源の投入、遮断の制御が可能である。また、本実施形態においては、サブ制御部Ａ１２１は、外部の操作装置であるスマートフォンＢ１００より操作情報を受信する操作情報受信手段として、また、セキュアメモリＡ１２２、記録媒体Ａ１１０の記録情報を保持する記録情報保持手段として機能する。
【００２３】
近距離無線通信部Ａ１１２は、他のデバイスからコマンドを受信すると、サブ制御部Ａ１２１でコマンド解析し、リードリクエストコマンドを受信した場合は、セキュアメモリＡ１２２に格納されているデータに基づき、応答データを出力する。
また、ライトリクエストコマンドを受信した場合は、セキュアメモリＡ１２２に受信したデータを書き込み、書き込み完了の応答信号を出力する。さらに、Ｐ２Ｐ（Peer To Peer）モードとしてコマンドを受信した場合は、電源投入部Ａ１２３を介して、撮像再生部Ａ１２０に電源を投入し、通信制御を制御部Ａ１０１に移行する。
以上がデジタルカメラＡ１００の説明である。
【００２４】
次に、スマートフォンＢ１００について説明する。
制御部Ｂ１０１は、入力された信号や、後述の処理フローに従ってスマートフォンＢ１００の各部を制御する。なお、制御部Ｂ１０１が装置全体を制御する代わりに、複数のハードウェアが処理を分担することで、装置全体を制御してもよい。
【００２５】
撮像部Ｂ１０２は、例えば、光学レンズユニットと絞り・ズーム・フォーカス等制御する光学系と、光学レンズユニットを経て導入された光（映像）を電気的な映像信号に変換するための撮像素子等で構成される。撮像素子としては、一般的には、ＣＭＯＳや、ＣＣＤが利用される。撮像部Ｂ１０２は、制御部Ｂ１０１に制御されることにより、撮像部Ｂ１０２に含まれるレンズで結像された被写体光を、撮像素子により電気信号に変換し、ノイズ低減処理等を行い、デジタルデータを画像データ（以下、キャプチャー画像とする）として出力する。本実施形態のスマートフォンＢ１００では、画像データは、ＤＣＦの規格に従って、記録媒体Ｂ１１０に記録される。
【００２６】
不揮発性メモリＢ１０３は、電気的に消去・記録可能な不揮発性のメモリであり、制御部Ｂ１０１で実行される後述のプログラム等が格納される。
作業用メモリＢ１０４は、撮像部Ｂ１０２で撮像された画像データを一時的に保持するバッファメモリや、表示部Ｂ１０６の画像表示用メモリ、制御部Ｂ１０１の作業領域等として使用される。
【００２７】
操作部Ｂ１０５は、ユーザーがスマートフォンＢ１００に対する指示をユーザーから受け付けるために用いられる。操作部Ｂ１０５は例えば、ユーザーがスマートフォンＢ１００の電源のＯＮ／ＯＦＦを指示するための電源ボタンや、画面遷移を指示するための操作ボタンを含む。また、後述する表示部Ｂ１０６に形成されるタッチパネルも操作部Ｂ１０５に含まれる。
【００２８】
また、操作部Ｂ１０５は、ユーザーがデジタルカメラＡ１００を操作する操作モードを選択する操作モード選択手段として機能し、ユーザー操作に応じて操作情報を生成する。表示部Ｂ１０６は、ユーザーにより選択された操作モードの選択情報をユーザーに表示する。
【００２９】
表示部Ｂ１０６は、撮像した静止画像データの表示、対話的な操作のためのＧＵＩ（Graphical User Interface）表示等を行う。
記録媒体Ｂ１１０は、撮像部Ｂ１０２から出力された画像データを記録することができる。記録媒体Ｂ１１０は、スマートフォンＢ１００に着脱可能なように構成してもよいし、スマートフォンＢ１００に内蔵されていてもよい。すなわち、スマートフォンＢ１００は少なくとも記録媒体Ｂ１１０にアクセスする手段を有していればよい。
【００３０】
接続部Ｂ１１１は、外部装置と接続するためのインターフェースである。本実施形態のスマートフォンＢ１００は、接続部Ｂ１１１を介して、外部装置とデータのやりとりを行うことができる。なお、本実施形態では、接続部Ｂ１１１は外部装置とＩＥＥＥ８０２．１１の規格に従った、いわゆる無線ＬＡＮで通信するためのインターフェースを含む。制御部Ｂ１０１は、接続部Ｂ１１１を制御することで外部装置との無線通信を実現する。
【００３１】
近距離無線通信部Ｂ１１２は、第２の近距離通信手段として設けられたものであり、他機との非接触近距離通信を実現するための通信ユニットである。近距離無線通信部Ｂ１１２は、無線通信のためのアンテナと無線信号を処理するための変復調回路や通信コントローラから構成される。近距離無線通信部Ｂ１１２は、変調した無線信号をアンテナから出力し、デジタルカメラＡ１００に電力供給と情報通信が可能である。また、アンテナで受信した無線信号を復調することにより非接触近距離通信を実現する。ここでは、ＩＳＯ／ＩＥＣ １８０９２の規格（いわゆるＮＦＣ）に従った非接触通信を実現する。
【００３２】
近距離線通信部Ｂ１１２は、他のデバイスからデータ読み出し要求を受けると、不揮発性メモリＢ１０３に格納されているデータに基づき、応答データを出力する。本実施形態では、スマートフォンＢ１００は、近距離線通信部Ｂ１１２を通じて、ＮＦＣの規格で定義されているカードリーダモード、カードライタモードおよびＰ２Ｐモードで動作し、主にInitiatorとしてふるまう。対して、本実施形態では、デジタルカメラＡ１００は近距離無線通信部Ａ１１２を介して、主にTargetとしてふるまう。
【００３３】
公衆無線通信部Ｂ１１３は、基地局Ｄ１００を介して公衆網Ｅ１００を利用した通信を実現するためのインターフェースである。公衆無線通信部Ｂ１１３は、無線通信のためのアンテナと無線信号を処理するため変復調回路や通信コントローラから構成され、Ｗ−ＣＤＭＡ（ＵＭＴＳ）やＬＴＥ（Long Term Evolution）等の規格に従って公衆無線通信を実現する。
以上がスマートフォンＢ１００の説明である。
なお、図１では、デジタルカメラＡ１００とスマートフォンＢ１００が１対１で通信し得ることを示す図を例に挙げて説明しているが、１対多での通信も可能である。
【００３４】
本実施形態における近距離無線通信の実現においては、各機器の互いの近距離無線通信部同士を近接させることにより通信を開始して接続される。なお、この近距離無線通信を実現するためには、必ずしも近距離無線通信部同士を接触させる必要はない。近距離無線通信部は一定の距離だけ離れていても、通信することができるため、ここでは近距離無線通信可能な範囲まで近づければよい。
【００３５】
また、互いの近距離無線通信部が近距離無線通信不可能な範囲にあれば、通信は開始されない。また、互いの近距離無線通信部が近距離無線通信可能な範囲にあって、機器同士が通信接続されている際に、互いの近距離無線通信部が近距離無線通信不可能な範囲に離れてしまった場合は、通信接続が解除される。
【００３６】
なお、近距離無線通信部Ａ１１２及びＢ１１２が実現する非接触近距離通信はＮＦＣに限られるものではなく、他の無線通信を採用してもよい。例えば、近距離無線通信部Ａ１１２及びＢ１１２が実現する非接触近距離通信として、ＩＳＯ／ＩＥＣ １４４４３の規格に従った非接触近距離通信を採用してもよい。
【００３７】
本実施形態のデジタルカメラＡ１００とスマートフォンＢ１００は、例えばユーザーによるメニュー操作を介して、互いの接続部同士の通信を行う指示を受け付け、ユーザーによるパラメータの入力等を経て、無線ＬＡＮによる通信を確立することができる。また、互いの近距離無線通信部を介して接続部同士の通信をするためのパラメータを共有することで、ユーザーにパラメータを入力させることを必要とすることなく無線ＬＡＮによる通信を確立することも可能である。この技術は、いわゆるハンドオーバーと呼ばれる。
いずれの手順でも、無線ＬＡＮでの通信が確立した後は、無線ＬＡＮを介して、例えば、デジタルカメラＡ１００をスマートフォンＢ１００でリモートコントロールすることができる。
【００３８】
本実施形態において、スマートフォンＢ１００は後述する制御部Ｂ１０１の制御によって、デジタルカメラＡ１００の動作モードを変更できる。また、本実施形態では、デジタルカメラＡ１００の動作モードとは、後述の撮像モード、再生モードの２種類のモードを指す。
【００３９】
また、本実施形態において、スマートフォンＢ１００は、ユーザーが動作モードの切り替えを含め、デジタルカメラＡ１００との接続、操作するためのアプリケーション（以下、アプリとする）を有する。アプリは、スマートフォンＢ１００の制御部Ｂ１０１での処理用のソフトウェアプログラムに相当し、処理フローについては、図８を用いて後述する。
【００４０】
図２は、デジタルカメラＡ１００とスマートフォンＢ１００、およびスマートフォンＣ１００が１対多の関係で通信される場合の無線通信による通信関係を示した概念図である。図２におけるスマートフォンＣ１００は、前述したスマートフォンＢ１００と同様なシステム構成を持つものとする。
【００４１】
以下、図２において次のように、デジタルカメラＡ１００とスマートフォンＢ１００、およびスマートフォンＣ１００が接続されることを例に挙げ説明する。初めに、デジタルカメラＡ１００とスマートフォンＢ１００が無線通信で撮像モードとして接続され、画像記録する。その後、一度無線通信を解除し、次にデジタルカメラＡ１００とスマートフォンＣ１００が撮像モードで接続され、画像記録する。さらにその後、無線通信を解除し、再び、デジタルカメラＡ１００とスマートフォンＢ１００が再生モードで接続された場合を例として説明する。
【００４２】
図３（ａ）は、スマートフォンＢ１００が撮像モードでデジタルカメラＡ１００と接続した際に、表示部３０２に表示されるＥＶＦ（Electronic View Finder）用のキャプチャー画像３０３を示した概念図である。本実施形態では、操作部３０１による操作で、ユーザーが撮像指示をする。撮像指示は、例えば、表示部３０２のタッチパネルによるユーザー操作により実現してもよい。
【００４３】
図３（ｂ）は、再生モード時のスマートフォンＢ１００の表示画面を示した概念図である。図３（ｂ）に示したように、撮像モード時に記録した画像３１３が表示部３１２にサムネイル形式で表示される。画像３１３を個別に選択することで、表示部３１２に選択した画像を拡大表示することも可能である。
【００４４】
図４（ａ）は、スマートフォンＣ１００が撮像モードでデジタルカメラＡ１００と接続した際に、表示部４０２に表示されるＥＶＦ用のキャプチャー画像４０３を示した概念図である。
図４（ｂ）は、再生モード時のスマートフォンＣ１００の表示画面を示した概念図である。図４（ｂ）に示したように、撮像モード時に記録した画像４１３が表示部４１２にサムネイル形式で表示される。
【００４５】
図５（ａ）は、スマートフォンＢ１００が再生モードで、再びデジタルカメラＡ１００と接続した際に表示されるMessage表示５０４を示した概念図である。これは、スマートフォンＢ１００の持つメディア記録情報と、デジタルカメラＡ１００が持つメディア記録情報で差分が有る場合の表示例を示している。
【００４６】
ここで、メディア記録情報とは、デジタルカメラＡ１００の記録媒体Ａ１１０に記録されている画像管理情報を指し、デジタルカメラＡ１００が動作中は、システムのファイル管理情報として、随時更新され作業用メモリＡ１０４に保持されている。またスマートフォンＢ１００の記録媒体Ｂ１１０も同様に画像管理情報を持つ。
【００４７】
デジタルカメラＡ１００の電源がＯＦＦになるシステム終了時は、作業用メモリＡ１０４に保持されているファイル管理情報は、不揮発性メモリＡ１０３とサブ制御部Ａ１２１を介してセキュアメモリＡ１２２に記録されるものとする。
【００４８】
また同様に、システム終了時のメディア記録情報は、スマートフォンＢ１００にも送信され、制御部Ｂ１０１によって、スマートフォンＢ１００が起動中は、作業用メモリＢ１０４に記録される。スマートフォンＢ１００の電源がＯＦＦにされる場合は、制御部Ｂ１０１によって、作業用メモリＢ１０４に記録されたメディア記録情報は、デジタルカメラＡ１００の記録情報を保持する第２の記録情報保持手段として機能する不揮発性メモリＢ１０３に退避される。
【００４９】
図５（ｂ）は、デジタルカメラＡ１００より、新たに画像取得した際のスマートフォンＢ１００の表示画面を示した概念図である。
図５（ｂ）において、画像５１３は既にスマートフォンＢ１００に記録されていた画像で、画像５１４は、新たにデジタルカメラＡ１００から取得した画像を示している。
【００５０】
以下、デジタルカメラＡ１００とスマートフォンＢ１００について、それぞれの処理内容について説明する。
先ずスマートフォンＢ１００のアプリ上で選択する動作モードについて概要を説明する。本実施形態において動作モードは撮像モード、再生モードの２種類の動作モードがある。
【００５１】
撮像モードとは、スマートフォンＢ１００によってデジタルカメラＡ１００を遠隔操作し画像を記録するモードである。この時、デジタルカメラＡ１００の撮像再生部Ａ１２０は電源供給されている。また、撮像部Ａ１０２によってキャプチャーされた画像を接続部Ａ１１１を介してスマートフォンＢ１００に転送し、リアルタイムにＥＶＦ画像をスマートフォンＢ１００に表示する。ユーザーは、スマートフォンＢ１００でＥＶＦ画像を表示しながら、デジタルカメラＡ１００に撮像指示をする。
【００５２】
また、撮像モードで記録した画像は、例えば、撮像記録時に、スマートフォンＢ１００へ接続部Ａ１１１を介して無線通信により送信され、スマートフォンＢ１００の記録媒体Ｂ１１０に記録される。これにより、デジタルカメラＡ１００と常時接続状態でなくてもスマートフォンＢ１００単体で動画像を再生することが可能となる。
【００５３】
再生モードとは、後述するデジタルカメラＡ１００のサブ制御部Ａ１２１の処理、および制御部Ａ１０１の処理によって、スマートフォンＢ１００上に記録画像を表示するモードである。
【００５４】
以下、再生モードについて詳細を説明する。
再生モードでは、まず、デジタルカメラＡ１００の電源がＯＦＦで、スマートフォンＢ１００のアプリ上では再生モードが選択された状態で、スマートフォンＢ１００をデジタルカメラＡ１００に近づけて、近距離無線通信の接続を確立する。スマートフォンＢ１００は、デジタルカメラＡ１００のセキュアメモリＡ１２２に保持してあるメディア記録情報を、近距離無線通信のリードリクエストコマンドにより取得する。
【００５５】
スマートフォンＢ１００は、取得したメディア記録情報と、あらかじめ保持していたメディア記録情報（前回、デジタルカメラＡ１００と接続した際に最終履歴として取得しているメディア記録情報）を比較する。メディア記録情報に差分が有る場合は、表示部Ｂ１０６に、記録画像に更新がある旨をMessage表示する。同時に、デジタルカメラＡ１００に記録されている更新画像を取得するかどうかを、表示部Ｂ１０６に選択画面を表示することで、ユーザーに選択指示を促す。
【００５６】
ここで、ユーザーが更新画像の取得を指示した場合は、スマートフォンＢ１００は、近距離無線通信を通じて、デジタルカメラＡ１００の起動モード決定処理を行うサブ制御部Ａ１２１に対し、起動コマンドを送信する。
起動コマンドとは、近距離無線通信におけるコマンド情報に、フラグ情報として埋め込み、起動指示することが考えられる。または、例えば、デジタルカメラＡ１００が持つセキュアメモリＡ１２２の記憶容量以上のアドレス空間に、近距離無線通信を介してアクセスした場合を起動コマンドと判断してもよい。
【００５７】
デジタルカメラＡ１００のサブ制御部Ａ１２１は、起動コマンドを受信することで、電源投入部Ａ１２３を介して撮像再生部Ａ１２０に電源投入して、後述の制御部Ａ１０１の処理フローに従って接続部Ａ１１１における無線通信を確立する。その後、サブ制御部Ａ１２１は、接続部Ａ１１１を介して、更新画像をスマートフォンＢ１００に転送する。
【００５８】
また、セキュアメモリＡ１２２から取得したメディア記録情報と、スマートフォンＢ１００が保持しているメディア記録情報が一致する場合は、表示部Ｂ１０６に、記録画像に更新がない旨をMessage表示し、デジタルカメラＡ１００は起動しない。
以上のように、デジタルカメラＡ１００内の記録画像の更新情報を確認するとともに、スマートフォンＢ１００に記録されている画像を閲覧表示可能な状態を本実施形態では、再生モードとする。
【００５９】
次に、図６を用いて本実施形態における、デジタルカメラＡ１００のサブ制御部Ａ１２１における処理フローについて説明する。
図６においてＳ６００は、本処理フローの開始を示し、デジタルカメラＡ１００とスマートフォンＢ１００が、近距離無線通信可能な距離まで近づいた状態である。
【００６０】
ここで、近距離無線通信可能な距離について説明する。前述したように、本実施形態において、デジタルカメラＡ１００はTarget、スマートフォンＢ１００はInitiatorとしてふるまう。よって、近距離無線通信時は、先ずスマートフォンＢ１００からPollingコマンドが送信される。このPollingコマンドにより、デジタルカメラＡ１００の近距離無線通信部Ａ１１２が持つアンテナは、電磁誘導による電力の取得、および信号を受信する。このように、スマートフォンＢ１００とデジタルカメラＡ１００が電磁誘導により信号の送受信が可能な距離を近距離無線通信可能な距離とする。
【００６１】
サブ制御部Ａ１２１は、近距離無線通信部Ａ１１２が持つアンテナに流れる電流変化に基づきＳ６００から、Ｓ６０１に移行する。
Ｓ６０１では、サブ制御部Ａ１２１は、スマートフォンＢ１００より送信されるPollingコマンドの応答信号を送信する。スマートフォンＢ１００から発せられるPollingコマンドとは、例えば、ＳＤＤ（Single Device Detection）のような通信相手を一つに特定するために、Target側に応答コマンドを要求（リクエスト）するコマンドを指す。
【００６２】
Ｓ６０１において、Pollingコマンドに対する応答信号を送信することによって、スマートフォンＢ１００との近距離無線通信が確立する。
次に、Ｓ６０２において、サブ制御部Ａ１２１は、近距離無線通信部Ａ１１２を介して、スマートフォンＢ１００から近距離無線通信における接続モードを示すコマンドを受信する。
【００６３】
次に、Ｓ６０３において、サブ制御部Ａ１２１は、Ｓ６０２で受信したコマンドから、Ｐ２Ｐモードかカードリーダモードによる接続かどうかを判別する。ここで、サブ制御部Ａ１２１が、受信したコマンドからカードリーダモードによる接続と判別した場合は、Ｓ６０４において、サブ制御部Ａ１２１は、セキュアメモリＡ１２２に記録されているメディア記録情報を読み出す。
【００６４】
次に、Ｓ６０５では、サブ制御部Ａ１２１は、読み出したメディア記録情報を近距離無線通信部Ａ１１２を介して、スマートフォンＢ１００に送信する。
その後、本処理フローの終了状態であるＳ６０６に移行する。本処理フローにおいて終了状態とは新たな近距離無線通信によるコマンド受信がされるのを待機している状態をさす。
【００６５】
また、Ｓ６０３において、サブ制御部Ａ１２１が、受信したコマンドから、Ｐ２Ｐモードと判別した場合は、Ｓ６０７において、サブ制御部Ａ１２１は、電源投入部Ａ１２３に電源投入命令を出し、撮像再生部Ａ１２０の電源を入れる。ここで、撮像再生部Ａ１２０に電源投入後は、デジタルカメラＡ１００の処理制御は、制御部Ａ１０１に移行する。制御部Ａ１０１の処理フローについては、図７を用いて後述する。
Ｓ６０７の後は、本処理フローの終了状態であるＳ６０６に移行する。
【００６６】
次に、図７を用いて本実施形態における、デジタルカメラＡ１００の制御部Ａ１０１における処理フローについて説明する。
図７において、Ｓ７００は、本処理フローの開始を示し、前述した図６の処理フローにおいて、Ｓ６０７でデジタルカメラＡ１００の処理制御がサブ制御部Ａ１２１から制御部Ａ１０１に移行した状態を開始とする。
【００６７】
次に、Ｓ７０１では、制御部Ａ１０１は、接続部Ａ１１１を介して、近距離無線通信よりも高速で遠距離通信が可能な無線通信（以下、近距離無線通信と区別するため、遠距離無線通信とする）を、接続部Ｂ１１１を介してスマートフォンＢ１００と確立する。ここで、Ｓ７０１では、例えば制御部Ａ１０１は、近距離無線通信のＰ２Ｐモードを利用して、遠距離無線通信の確立に必要なＳＳＩＤ（Service Set Identifier）や暗号化キーの送受信をすることが考えられる。
【００６８】
次に、Ｓ７０２では、制御部Ａ１０１は、近距離無線通信のＰ２Ｐモードを利用して、スマートフォンＢ１００からカメラの動作モード情報を受信し、受信した動作モードが再生モードか撮像モードかを判別する。
Ｓ７０２において、再生モードと判定された場合は、Ｓ７０３において、デジタルカメラＡ１００は再生モードとして起動するため、制御部Ａ１０１は、システム起動時に、セキュアメモリＡ１２２からメディア記録情報を読み出す。
【００６９】
次に、Ｓ７０４では、制御部Ａ１０１は、読み出したメディア記録情報が、不揮発性メモリＡ１０３に記録されている前回システム終了時のファイル管理情報と比較し、更新の有無を判定する。システム起動時は、ファイル管理情報は不揮発性メモリＡ１０３の情報が初期情報として扱われる。
【００７０】
本実施形態では、セキュアメモリＡ１２２のメディア記録情報が、例えばスマートフォンＢ１００から上書き更新する処理フローについては説明しないが、第２の実施形態において、詳細を後述する。
【００７１】
Ｓ７０４において、制御部Ａ１０１が、メディア記録情報に更新があると判断した場合は、Ｓ７０５において、制御部Ａ１０１によって、セキュアメモリＡ１２２に記録されたメディア記録情報がファイル管理情報として更新される。
次に、Ｓ７０６では、制御部Ａ１０１は、遠距離無線通信によって、スマートフォンＢ１００から更新画像の送信要求コマンドを受けたか否かを判別する。
【００７２】
ここで、更新画像について説明する。例えば、前述した図５（ａ）で示したように、スマートフォンＢ１００が持つメディア記録情報とデジタルカメラＡ１００のセキュアメモリＡ１２２に記録しているメディア記録情報に差がある場合を考える。この場合、デジタルカメラＡ１００に差分として記録されている画像（例えば、図５（ｂ）に示した画像５１４）を更新画像とする。
【００７３】
Ｓ７０６において、制御部Ａ１０１が、更新画像の送信要求コマンドを受けたと判断した場合は、Ｓ７０７に移行し遠距離無線通信を介して、スマートフォンＢ１００へ更新画像を送信する。
次に、Ｓ７０８において、制御部Ａ１０１によって、デジタルカメラＡ１００は、記録媒体Ａ１１０に保存された画像の表示、編集等をスマートフォンＢ１００のアプリ操作によって可能な再生モードとして動作する。
【００７４】
Ｓ７０９では、制御部Ａ１０１が、例えば操作部Ａ１０５の電源ボタンの状態で、ユーザーが電源ＯＦＦ操作をしたかどうか判別する。制御部Ａ１０１が、ユーザーの電源ＯＦＦ操作を認識しない場合は、Ｓ７０６に移行し、Ｓ７０６からＳ７０９を繰り返し実行することで再生モードを維持する。
【００７５】
Ｓ７０９において、制御部Ａ１０１が、ユーザーの電源ＯＦＦ操作を認識した場合は、デジタルカメラＡ１００の電源をＯＦＦにし、本処理フローの終了状態であるＳ７１０に移行する。
Ｓ７０６において、制御部Ａ１０１が、更新画像の送信要求コマンドを受けていないと判断した場合は、前述のＳ７０８に移行し再生モードとして動作する。
また、Ｓ７０４において、制御部Ａ１０１が、メディア記録情報に更新がないと判断した場合は、Ｓ７０６に移行し、Ｓ７０６からＳ７０９を繰り返し実行することで再生モードを維持する。
【００７６】
次にＳ７０２において、スマートフォンＢ１００から受信したカメラの動作モード情報が撮像モードだった場合について説明する。
撮像モードの場合は、Ｓ７１２に移行する。
Ｓ７１２では、制御部Ａ１０１によって、デジタルカメラＡ１００は、撮像モードとして起動する。ここで、撮像モードとして起動するというのは、撮像部Ａ１０２からキャプチャー画像を取得するために、例えばデジタルカメラＡ１００の躯体に沈胴している前述の光学レンズユニットを繰り出し、撮像スタンバイ状態として起動することを意味する。
【００７７】
次に、Ｓ７１３では、制御部Ａ１０１によって、ＥＶＦ用のキャプチャー画像が、接続部Ａ１１１を介して遠距離無線通信で、スマートフォンＢ１００に転送される。
前述したようにスマートフォンＢ１００は、取得したＥＶＦ用のキャプチャー画像を表示部Ｂ１０６に表示しながら、ユーザーはスマートフォンＢ１００のアプリ操作で、デジタルカメラＡ１００によって撮像を行う。
【００７８】
Ｓ７１４では、デジタルカメラＡ１００は、制御部Ａ１０１によって、スマートフォンＢ１００のアプリ操作で、ユーザーが指定した任意のタイミングで、撮像部Ａ１０２よりキャプチャー画像を取得する。そして、記録媒体Ａ１１０に記録する撮像モードとして動作する。
【００７９】
次に、Ｓ７１５では、制御部Ａ１０１が、例えば操作部Ａ１０５の電源ボタンの状態で、ユーザーが電源ＯＦＦ操作をしたかどうか判別する。制御部Ａ１０１が、ユーザーの電源ＯＦＦ操作を認識しない場合は、Ｓ７１３に移行し繰り返しキャプチャー画像をスマートフォンＢ１００に送信し、次にＳ７１４において、撮像モード動作を維持する。
Ｓ７１５において、制御部Ａ１０１が、ユーザーの電源ＯＦＦ操作を認識した場合は、デジタルカメラＡ１００の電源をＯＦＦにし、本処理フローの終了状態であるＳ７１０に移行する。
【００８０】
次に、図８を用いて本実施形態における、スマートフォンＢ１００の制御部Ｂ１０１における処理フローについて説明する。
図８においてＳ８００は、本処理フローの開始を示し、スマートフォンＢ１００において、制御部Ｂ１０１により、本実施形態におけるデジタルカメラＡ１００を遠隔操作するためのアプリが起動している状態を開始とする。
【００８１】
次に、Ｓ８０１では、制御部Ｂ１０１により、起動しているアプリでデジタルカメラＡ１００の動作モードをユーザーが選択した動作モードとする。
次に、Ｓ８０２では、制御部Ｂ１０１により、Ｓ８０１で選択した動作モードが、撮像モードか再生モードかを判別する。
【００８２】
再生モードの場合は、Ｓ８０３において、制御部Ｂ１０１により、近距離無線通信部Ｂ１１２からPollingコマンドが送信される。本処理フローでは不図示だが、Pollingコマンドは、例えばTargetとなるデジタルカメラＡ１００から応答が返ってくるまでは、繰り返し送信し続ける。
【００８３】
また、一定時間デジタルカメラＡ１００から応答がない場合は、表示部Ｂ１０６に接続エラーのMessage表示を行い、接続を中断するなどが考えられる。本実施形態の説明では、Ｓ８０３において、デジタルカメラＡ１００からPollingコマンドの応答が返ってくる場合を例とし処理フローを説明する。
【００８４】
次に、Ｓ８０４では、制御部Ｂ１０１により、近距離無線通信部Ｂ１１２からリードリクエストコマンドを送信する。ここで、Ｓ８０４では、デジタルカメラＡ１００に対し、ＮＦＣ規格におけるカードリーダモードでの応答を要求するものである。
次に、Ｓ８０５では、制御部Ｂ１０１は、近距離無線通信部Ｂ１１２を介して、デジタルカメラＡ１００からセキュアメモリＡ１２２に記録されているメディア記録情報を受信する。デジタルカメラＡ１００側の処理については、前述した図６のサブ制御部Ａ１２１の処理フローに則り実行される。
【００８５】
次に、Ｓ８０６では、制御部Ｂ１０１は、前述した不揮発性メモリＢ１０３、または作業用メモリＢ１０４に記録されているメディア記録情報と、Ｓ８０５で受信したメディア記録情報を比較し、差分があるか否かを判別する。ここで、あらかじめ不揮発性メモリＢ１０３、または作業用メモリＢ１０４に記録されているメディア記録情報は、前回までにデジタルカメラＡ１００と接続関係にあった際の最終履歴を示す。
【００８６】
よって、あらたに接続関係が確立した際に、デジタルカメラＡ１００のメディア記録情報を受信することで、デジタルカメラＡ１００がスマートフォンＢ１００とは異なる別の携帯端末と接続関係の下、撮像した場合の記録画像の更新を判別することが可能となる。
【００８７】
Ｓ８０６において、制御部Ｂ１０１が、デジタルカメラＡ１００が持つメディア記録情報と、スマートフォンＢ１００が持つメディア記録情報に差分が有ると判定した場合は、Ｓ８０７に移行する。
Ｓ８０６において、制御部Ｂ１０１が、２つのメディア記録情報に差分が無いと判定した場合は、後述のＳ８１２に移行する。
Ｓ８０７では、制御部Ｂ１０１により、表示部Ｂ１０６に、デジタルカメラＡ１００の画像情報に更新がある旨をMessage表示する。前述した図５（ａ）がその際の表示画面を示した図である。
【００８８】
次に、Ｓ８０８では、制御部Ｂ１０１により、例えば表示部Ｂ１０６に更新画像を取得するか否かの指示ボタン等を表示し、ユーザーに選択を促す。制御部Ｂ１０１が、ユーザーが更新画像の取得を選択したと判断した場合は、Ｓ８０９に移行する。
ここで、Ｓ８０８において、制御部Ｂ１０１が、ユーザーが更新画像の取得を選択しなかったと判定した場合は、後述のＳ８１２に移行する。
次にＳ８０９では、制御部Ｂ１０１は、近距離無線通信部Ｂ１１２を介して、デジタルカメラＡ１００に対し、Ｐ２Ｐモードによる接続確立を要求するためのコマンドを送信する。
【００８９】
ここで、本処理フローでは、説明を省いているが、Ｓ８０９は、デジタルカメラＡ１００と新たな近距離無線通信を確立するために、Ｓ８０３と同様に新たにPollingコマンドの送信と応答受信を実行することが考えられる。
【００９０】
Ｓ８０９において、制御部Ｂ１０１は、Ｐ２Ｐモードでの接続が確立した後、次のＳ８１０で、更新画像の送信要求コマンドを送信する。ここで、更新画像の送信要求コマンドは、前述の図７を用いて説明した制御部Ａ１０１の処理フローにおいて、Ｓ７０６で使用されるものと同一である。
【００９１】
Ｓ８０９において、Ｐ２Ｐモードによる接続確立を要求するためのコマンドを、近距離無線通信部Ｂ１１２を介してスマートフォンＢ１００から送信する。これにより、図７の制御部Ａ１０１の処理フローにおけるＳ７０１の遠距離無線通信の確立が実施される。本処理フローでは、不図示だが、Ｓ８１０を抜ける段階では、既にデジタルカメラＡ１００とスマートフォンＢ１００の間で、接続部Ａ１１１と接続部Ｂ１１１による遠距離無線通信が確立しているものとする。
【００９２】
次に、Ｓ８１１では、制御部Ｂ１０１は、遠距離無線通信により、デジタルカメラＡ１００から更新画像を受信し、記録媒体Ｂ１１０に更新画像を記録する。ここで、作業用メモリＢ１０４に記録しているメディア記録情報は、Ｓ８０５で受信したもので上書き更新することが考えられる。
【００９３】
次に、Ｓ８１２では、制御部Ｂ１０１により、再生モードで新たに受信した更新画像を含め、表示部Ｂ１０６に記録画像が表示される。前述の図５（ｂ）がその際の表示画面を示した図である。ここで、Ｓ８１１において、更新画像を取得し終わった段階で、遠距離無線通信の接続を遮断し、デジタルカメラＡ１００の電源を落とす処理を行ってもよい。
【００９４】
次に、Ｓ８１３では、制御部Ｂ１０１が、例えば表示部Ｂ１０６に表示したＧＵＩ上のアプリ終了ボタンが押されたかどうかをボタンの状態を検出することで判別する。
Ｓ８１３において、制御部Ｂ１０１が、ユーザーがアプリの終了操作を行ったと判定した場合は、本処理フローの終了状態であるＳ８１４に移行する。
Ｓ８１３において、制御部Ｂ１０１が、ユーザーがアプリの終了操作を行ったと判定しなかった場合は、Ｓ８１２に移行し、再生モードを維持する。
【００９５】
Ｓ８０２において、Ｓ８０１で選択した動作モードが、撮像モードだった場合について説明する。
撮像モードの場合はＳ８１５において、Ｓ８０３と同じ処理が実施され、制御部Ｂ１０１により、近距離無線通信部Ｂ１１２からPollingコマンドが送信される。そして、Pollingコマンドの応答がデジタルカメラＡ１００から返ってきた後、Ｓ８１６に移行する。
Ｓ８１６において、制御部Ｂ１０１により、近距離無線通信部Ｂ１１２から、Ｐ２Ｐモードによる接続を要求するコマンドを送信し、デジタルカメラＡ１００との接続を確立する。
【００９６】
次に、Ｓ８１７では、前述の図７における制御部Ａ１０１の処理フローにおいて、Ｓ７１３でデジタルカメラＡ１００から転送されるＥＶＦ用のキャプチャー画像を受信する。受信した画像は、制御部Ｂ１０１によって、一旦、作業用メモリＢ１０４に記録される。
【００９７】
次に、Ｓ８１８では、制御部Ｂ１０１によって、スマートフォンＢ１００はカメラの撮像操作が可能な状態になる。撮像操作とは、前述したように、作業用メモリＢ１０４に記録したＥＶＦ用のキャプチャー画像を表示部Ｂ１０６に表示しながら、ユーザーがスマートフォンＢ１００のアプリ操作で、デジタルカメラＡ１００によって撮像指示をすることを意味する。
【００９８】
次に、Ｓ８１９では、制御部Ｂ１０１が、例えば表示部Ｂ１０６に表示したＧＵＩ上のアプリ終了ボタンが押されたかどうかをボタンの状態を検出することで判別する。
Ｓ８１９において、制御部Ｂ１０１が、ユーザーがアプリの終了操作を行ったと判定した場合は、本処理フローの終了状態であるＳ８１４に移行する。
【００９９】
Ｓ８１９において、制御部Ｂ１０１が、ユーザーがアプリの終了操作を行ったと判定しなかった場合は、Ｓ８１７に移行し、キャプチャー画像の受信と、次のＳ８１８で、撮像操作が可能な状態が維持される。
以上より、本実施形態の構成によれば、スマートフォンＢ１００のアプリ上でデジタルカメラＡ１００を動作モードによって、不要な電源投入を防ぐとともに、画像の撮像、再生を無線通信による遠隔操作で操作することが可能となる。
【０１００】
ここで、本実施形態における記録画像の共有設定について説明する。
前述したように、一つのデジタルカメラを複数のスマートフォンが、異なる時間に接続し撮像した場合、デジタルカメラ内の記録媒体には、共有可能な画像として記録、更新されていくことになる。
【０１０１】
しかし、ユーザーによっては、個人的な画像を共有したくないケースも考えられる。そこで、撮像した画像の共有設定を解除する手順を説明する。
先ず、以下のように、図２におけるデジタルカメラＡ１００とスマートフォンＢ１００、およびスマートフォンＣ１００が接続された場合を例に挙げる。
【０１０２】
初めに、デジタルカメラＡ１００とスマートフォンＢ１００が接続関係にあり、画像の撮像を行う。
次に、スマートフォンＢ１００との接続解除後に、デジタルカメラＡ１００とスマートフォンＣ１００が接続し画像の撮像を行う。その後、スマートフォンＣ１００と接続解除後に、デジタルカメラＡ１００とスマートフォンＢ１００が再接続する。
図３（ｂ）は、初めにスマートフォンＢ１００がデジタルカメラＡ１００と接続し撮像した画像３１３を、表示画面に表示した概念図である。
【０１０３】
図９は、スマートフォンＣ１００がデジタルカメラＡ１００と接続し撮像した画像９０３に対し、タッチパネル上の操作により、共有設定の解除対象となる画像の選択をした際の表示画面の概念図である。画像の共有設定については、デジタルカメラＡ１００が持つ前述のメディア記録情報に付加される。例えば、共有設定を解除した画像の画像情報については、携帯端末の個体情報などがひも付されることが考えられる。
【０１０４】
前述のように、スマートフォンＣ１００で撮像した画像の共有設定を解除することで、スマートフォンＢ１００が再接続した場合は、共有画像の差分情報のみ比較するため、前述の図８のＳ８０６においてメディア記録情報には差分が検知されない。よって、スマートフォンＢ１００が再接続された場合は、前回接続時とおなじ、図３（ｂ）の画面が表示されることになる。
以上より、本実施形態の構成によれば、スマートフォンの個体情報を撮影時に画像に付加する個体情報付加処理を行い、個体情報を基に、画像の閲覧権限を設定する画像閲覧権限設定処理を行う。そして、閲覧権限がある画像（共有画像）についてのみ更新があるかどうかを判定し、不要な電源投入を防ぐことが可能となる。
【０１０５】
［第２の実施形態］
第１の実施形態では、スマートフォンＢ１００のアプリからデジタルカメラＡ１００を操作する際に設定する動作モードについて、撮像モード、再生モードの２種類の場合を例に挙げて説明した。
これに対し、本実施形態では、撮像モード、再生モードに加え、記録画像更新モードの３種類の動作モードを有した場合について説明する。
なお、本実施形態は第１の実施形態と共通する部分が多いため、本実施形態特有の部分を中心に説明し、図１と同様の内容を示す箇所は同一の参照番号を用い、説明を省略する。
【０１０６】
本実施形態において、スマートフォンＢ１００は後述する制御部Ｂ１０１の制御によって、デジタルカメラＡ１００の動作モードを変更できる。ここで、デジタルカメラＡ１００の動作モードとは、撮像モード、再生モード、記録画像更新モードの３種類のモードをさす。
【０１０７】
また、本実施形態において、スマートフォンＢ１００は、ユーザーが動作モードの切り替えを含め、デジタルカメラＡ１００との接続、操作するためのアプリを有する。アプリはスマートフォンＢ１００の制御部Ｂ１０１での処理用のソフトウェアプログラムに相当し、処理フローについては、図１２を用いて後述する。
【０１０８】
以下、デジタルカメラＡ１００とスマートフォンＢ１００について、それぞれの処理内容について説明する。
先ず、スマートフォンＢ１００のアプリ上における動作モードについて概要を説明する。撮像モードと再生モードは、第１の実施形態で説明した内容と同じであるため、説明を省略する。
【０１０９】
記録画像更新モードは、以下のような動作をする。
図１０（ａ）は、スマートフォンＢ１００の表示画面に記録画像を表示した際の概念図である。この時点では、スマートフォンＢ１００とデジタルカメラＡ１００は接続関係にはない。
【０１１０】
図１０（ａ）における画像１００３、および画像１００４はスマートフォンＢ１００がデジタルカメラＡ１００と接続時に撮像した画像だが、画像１００４は削除対象としてユーザーが画像選択した場合のスマートフォンＢ１００の表示画面を示している。
図１０（ｂ）は、ユーザーが画像１００４の削除決定をした後のスマートフォンＢ１００の表示画面である。
【０１１１】
この時点で、スマートフォンＢ１００が持つメディア記録情報は更新される。
その後、スマートフォンＢ１００が持つメディア記録情報をデジタルカメラＡ１００のメディア記録情報に反映させる。そのために、近距離無線通信のカードライタモードによって、デジタルカメラＡ１００のセキュアメモリＡ１２２に保持されているメディア記録情報を更新する。
【０１１２】
更新されたセキュアメモリＡ１２２内のメディア記録情報は、前述した制御部Ａ１０１の処理によって、撮像再生部Ａ１２０に電源投入され起動する際に、不揮発性メモリＡ１０３に保持しているメディア記録情報とマージされる。これにより、システムで利用するファイル管理情報が更新される。
また、起動時に更新したシステムのファイル管理情報を基に、制御部Ａ１０１によって、前述した記録媒体Ａ１１０が持つ画像管理情報も更新される。
【０１１３】
以下、各制御部の処理フローについて詳細を説明する。
図１１を用いて本実施形態における、デジタルカメラＡ１００のサブ制御部Ａ１２１における処理フローについて説明する。
図１１において、Ｓ１１００〜Ｓ１１０２は、図６のＳ６００〜Ｓ６０２と同様の処理が実行されるため、説明を省略する。
【０１１４】
Ｓ１１０３では、図６のＳ６０３と同様の処理を行い、受信したコマンドがＰ２Ｐモードである場合は、Ｓ１１１０において、図６のＳ６０７と同様の処理が実行されるため、説明を省略する。
Ｓ１１０３において、Ｐ２Ｐモードではないと判定された場合は、Ｓ１１０４において、サブ制御部Ａ１２１が、受信したコマンドがカードライタモードによる接続かどうかを判別する。
【０１１５】
カードライタモードと判定されなかった場合は、カードリーダモードとして、Ｓ１１０８に移行する。
Ｓ１１０８〜Ｓ１１０９は、図６のＳ６０４〜Ｓ６０５と同様の処理が実行されるため、説明を省略する。
【０１１６】
Ｓ１１０４において、サブ制御部Ａ１２１が、カードライタモードと判定した場合は、Ｓ１１０５において、サブ制御部Ａ１２１が、スマートフォンＢ１００から受信したコマンド情報に基づいて、セキュアメモリＡ１２２のメディア記録情報を上書きする。
次に、Ｓ１１０６では、サブ制御部Ａ１２１は、近距離無線通信部Ａ１１２を介して、書き込み完了の応答信号をスマートフォンＢ１００に送信する。
その後、Ｓ１１０７に移行し本処理フローを終了する。
【０１１７】
本実施形態において、制御部Ａ１０１の処理フローについては第１の実施形態で説明した図７と同様の構成をとるため、以下、本実施形態の説明において同じ内容を示す箇所は同一の参照番号を用い、説明を省略する。
【０１１８】
次に、図１２を用いて本実施形態における、スマートフォンＢ１００の制御部Ｂ１０１における処理フローについて説明する。
図１２においてＳ１２００〜Ｓ１２０２は、図８のＳ８００〜Ｓ８０２と同様の処理が実行されるため、説明を省略する。また、Ｓ１２０２において、制御部Ｂ１０１が、撮像モードと判定した場合は、Ｓ１２１６〜Ｓ１２２０の処理を実施するが、これらも図８のＳ８１５〜Ｓ８１９と同様の処理が実行されるため、説明を省略する。
【０１１９】
Ｓ１２０２において、制御部Ｂ１０１が、撮像モードではないと判定した場合は、Ｓ１２０３において、制御部Ｂ１０１が、再生モードか記録画像更新モードか判別する。
ここで、Ｓ１２０３において、制御部Ｂ１０１が、再生モードと判定した場合は、Ｓ１２０４に移行する。
Ｓ１２０４〜Ｓ１２１４は、図８のＳ８０３〜Ｓ８１３と同様の処理が実行されるため、説明を省略する。
【０１２０】
Ｓ１２０３において、制御部Ｂ１０１が、記録画像更新モードと判定した場合は、Ｓ１２２１に移行する。
Ｓ１２２１において、制御部Ｂ１０１により、既にスマートフォンＢ１００が持つ画像情報を表示部Ｂ１０６に表示する。これにより、ＧＵＩを通してユーザーが画像の削除、編集といった画像情報の編集が可能な状態になる。ここで、画像の削除、編集がユーザーによって行われた場合は、スマートフォンＢ１００が持つメディア記録情報が上書き更新される。また、上書きされたメディア記録情報を基に、制御部Ｂ１０１によって、記録媒体Ｂ１１０が持つ画像管理情報も更新される。
【０１２１】
次に、Ｓ１２２２では、制御部Ｂ１０１が、例えば、表示部Ｂ１０６に表示したデジタルカメラＡ１００にメディア記録情報を上書き送信するためのボタン操作がユーザーにより実行されたかどうかを判別する。
Ｓ１２２２において、上書き送信するためのボタン操作が実行されなかった場合は、後述のＳ１２２６に移行する。
【０１２２】
Ｓ１２２２において、上書き送信するためのボタン操作が実行された場合は、Ｓ１２２３において、制御部Ｂ１０１により、近距離無線通信部Ｂ１１２からPollingコマンドが送信される。詳細な処理内容は前述の図８におけるＳ８０３と同様であるため、説明を省略する。
【０１２３】
次に、Ｓ１２２４では、制御部Ｂ１０１により、近距離無線通信部Ｂ１１２からライトリクエストコマンドを送信する。ここで、Ｓ１２２４では、デジタルカメラＡ１００に対し、ＮＦＣ規格におけるカードライタモードでの応答を要求するものである。
次に、Ｓ１２２５では、制御部Ｂ１０１が、近距離無線通信部Ｂ１１２を介して、デジタルカメラＡ１００に、メディア記録情報を送信する。
ここで、説明上、Ｓ１２２４とＳ１２２５を分けて書いたが、Ｓ１２２４において、メディア記録情報をライトリクエストコマンドに付加して送信してもよい。
【０１２４】
次に、Ｓ１２２６において、制御部Ｂ１０１が、例えば表示部Ｂ１０６に表示したＧＵＩ上のアプリ終了ボタンが押されたかどうかをボタンの状態を検出することで判別する。
Ｓ１２２６において、制御部Ｂ１０１により、ユーザーがアプリの終了操作を行ったと判定された場合は、本処理フローの終了状態であるＳ１２１５に移行する。
Ｓ１２２６において、制御部Ｂ１０１により、ユーザーがアプリの終了操作を行ったと判定されなかった場合は、Ｓ１２２１に移行し、記録画像更新モードを維持する。
【０１２５】
以上より、スマートフォンＢ１００のアプリ上で、更新したメディア記録情報を、デジタルカメラＡ１００に送信し、デジタルカメラＡ１００が持つメディア記録情報を上書きすることが可能となる。これにより、記録画像更新モードでは、スマートフォンＢ１００のみで、画像の削除、編集が可能となる。また、デジタルカメラＡ１００のメディア記録情報を上書きする際は、撮像再生部Ａ１２０に電源投入することなく、近距離無線通信のみで実行されるためデジタルカメラＡ１００の消費電力が削減される。
本発明の実施形態によれば、近距離無線通信によりカメラの画像記録情報を上書きすることで、カメラを起動すること無くカメラ内記録画像の削除、編集が可能となる。
【０１２６】
［第３の実施形態］
第１および第２の実施形態では、メディア記録情報の差分比較を、スマートフォンＢ１００で実施する場合を説明した。
これに対し、本実施形態では、デジタルカメラＡ１００のサブ制御部Ａ１２１において、メディア記録情報の差分比較を実施する場合について説明する。
なお、本実施形態は第１の実施形態と共通する部分が多いため、本実施形態特有の部分を中心に説明し、図１と同様の内容を示す箇所は同一の参照番号を用い、説明を省略する。
【０１２７】
本実施形態では、第２の実施形態と同様に、スマートフォンＢ１００は、撮像モード、再生モード、記録画像更新モードの３種類の動作モードを選択できるものとする。
また、本実施形態においても、スマートフォンＢ１００は、ユーザーが動作モードの切り替えを含め、デジタルカメラＡ１００との接続、操作するためのアプリを有する。アプリはスマートフォンＢ１００の制御部Ｂ１０１での処理用のソフトウェアプログラムに相当し、処理フローについては、図１４を用いて後述する。
【０１２８】
以下、デジタルカメラＡ１００とスマートフォンＢ１００について、それぞれの処理内容について説明する。
図１３を用いて本実施形態における、デジタルカメラＡ１００のサブ制御部Ａ１２１における処理フローについて説明する。
図１３においてＳ１３００〜Ｓ１３０２は、図６のＳ６００〜Ｓ６０２と同様の処理が実行されるため、説明を省略する。
Ｓ１３０３では、図６のＳ６０３と同様の処理を行い、受信したコマンドがＰ２Ｐモードである場合は、Ｓ１３１３に移行する。Ｐ２Ｐモードの場合は、ステップ１３１３を実行するが、図６のＳ６０７と同様の処理が実行されるため、説明を省略する。
【０１２９】
Ｓ１３０３において、サブ制御部Ａ１２１が、受信したコマンドがＰ２Ｐモードではないと判定した場合は、Ｓ１３０４において、サブ制御部Ａ１２１が、受信したコマンドがカードライタモードのコマンドかどうかを判別する。
Ｓ１３０４において、カードライタモードと判定された場合は、Ｓ１３０５に移行する。Ｓ１３０５〜Ｓ１３０６は、図１１のＳ１１０５〜Ｓ１１０６と同様の処理が実行されるため、説明を省略する。
【０１３０】
Ｓ１３０４において、カードライタモードと判定されなかった場合は、Ｓ１３０８において、サブ制御部Ａ１２１が、受信したコマンドからスマートフォンＢ１００のメディア記録情報を抽出する。
【０１３１】
次に、Ｓ１３０９では、サブ制御部Ａ１２１が、セキュアメモリＡ１２２から、デジタルカメラＡ１００のメディア記録情報を読み出す。
次に、Ｓ１３１０では、サブ制御部Ａ１２１により、スマートフォンＢ１００のメディア記録情報と、デジタルカメラＡ１００のメディア記録情報を比較する記録情報比較処理が行なわれる。
【０１３２】
Ｓ１３１０において、双方のメディア記録情報に差分があると判定されなかった場合は、Ｓ１３１１において、サブ制御部Ａ１２１により、近距離無線通信Ｂ１１２を介して、カードリーダモードの応答信号として、メディア記録情報に差分がない旨を送信する。例えば、フラグ情報（例えば、一致の場合は０、不一致の場合は１とする）として応答コマンドに組み込み送信する。
その後は、本処理フローの終了状態であるＳ１３０７に移行する。
【０１３３】
また、Ｓ１３１０において、サブ制御部Ａ１２１が、スマートフォンＢ１００のメディア記録情報と、デジタルカメラＡ１００のメディア記録情報に差分があると判定した場合はＳ１３１２に移行する。
Ｓ１３１２においては、サブ制御部Ａ１２１により、近距離無線通信Ｂ１１２を介して、カードリーダモードの応答信号として、メディア記録情報に差分がある旨を送信する。例えば、フラグ情報として応答コマンドに組み込み送信する。
その後は、本処理フローの終了状態であるＳ１３０７に移行する。
【０１３４】
本実施形態において、制御部Ａ１０１の処理フローについては、第１の実施形態で説明した図７と同様の構成をとるため、以下、本実施形態の説明において同じ内容を示す箇所は同一の参照番号を用い、説明を省略する。
【０１３５】
次に、図１４を用いて本実施形態における、スマートフォンＢ１００の制御部Ｂ１０１における処理フローについて説明する。
図１４において、Ｓ１４００〜Ｓ１４０２は、図８のＳ８００〜Ｓ８０２と同様の処理が実行されるため、説明を省略する。また、Ｓ１４０２において、制御部Ｂ１０１が、撮像モードと判定した場合は、Ｓ１４１６〜Ｓ１４２０の処理を実施するが、これらも図８のＳ８１５〜Ｓ８１９と同様の処理が実行されるため、説明を省略する。
【０１３６】
Ｓ１４０２において、制御部Ｂ１０１が、撮像モードではないと判定した場合は、Ｓ１４０３において、図１２のＳ１２０３と同様の処理が実行され、制御部Ｂ１０１が、再生モードか記録画像更新モードか判別する。
ここで、Ｓ１４０３において、制御部Ｂ１０１が、記録画像更新モードと判定した場合は、Ｓ１４２１に移行する。
【０１３７】
Ｓ１４２１〜Ｓ１４２６は、図１２のＳ１２２１〜Ｓ１２２６と同様の処理が実行されるため、説明を省略する。
Ｓ１４０３において、制御部Ｂ１０１が、再生モードと判定した場合は、Ｓ１４０４において、図８のＳ８０３と同様の処理が実行されるため、説明を省略する。
次に、Ｓ１４０５では、制御部Ｂ１０１により、スマートフォンＢ１００のメディア記録情報を、リードリクエストコマンドに付加し送信する。
【０１３８】
次に、Ｓ１４０６では、制御部Ｂ１０１は、近距離無線通信部Ｂ１１２を介して、デジタルカメラＡ１００からメディア記録情報の比較結果を受信する。ここで、メディア記録情報の比較結果とは、前述の図１３におけるＳ１３１１やＳ１３１２で説明したデジタルカメラＡ１００の応答信号に付加されたフラグ情報とする。また、応答信号には後述の遠距離無線通信の確立に必要なＳＳＩＤや暗号化キーも付加情報として受信することが考えられる。
【０１３９】
次に、Ｓ１４０７では、制御部Ｂ１０１は、受信したメディア記録情報の比較結果も用いて、デジタルカメラＡ１００とスマートフォンＢ１００でメディア記録情報に差分があったかどうかを判断する。
Ｓ１４０７において、例えば前述のフラグ情報が０（比較結果が一致）だった場合は、後述のＳ１４１３に移行する。
【０１４０】
Ｓ１４０７において、例えば前述のフラグ情報が１（比較結果が不一致）だった場合はＳ１４０８に移行する。
Ｓ１４０８においては、制御部Ｂ１０１によって、表示部Ｂ１０６にメディア記録情報がデジタルカメラＡ１００とスマートフォンＢ１００で差分が有る旨、Message表示する。
【０１４１】
次に、Ｓ１４０９では、図８のＳ８０８と同様な処理を実行し、デジタルカメラＡ１００から更新画像を取得するかどうかの選択指示を促す。
Ｓ１４０９において、制御部Ｂ１０１が、ユーザーが更新画像の取得を選択したと判断しなかった場合は、後述のＳ１４１３に移行する。
【０１４２】
Ｓ１４０９において、制御部Ｂ１０１が、ユーザーが更新画像の取得を選択したと判断した場合はＳ１４１０に移行する。Ｓ１４１０においては、制御部Ｂ１０１は、Ｓ１４０６で受信したＳＳＩＤや暗号キーを基に、接続部Ｂ１１１を介してデジタルカメラＡ１００と遠距離無線通信の接続を確立する。
【０１４３】
その後、Ｓ１４１１ににおいて、制御部Ｂ１０１は、接続部Ｂ１１１を介して更新画像の送信要求コマンドを送信する。
次に、Ｓ１４１２ににおいて、接続部Ｂ１１１を介して更新画像の受信が行われるが、Ｓ１４１２〜Ｓ１４１５は、図８のＳ８１１〜Ｓ８１４と同様の処理が実行されるため、説明を省略する。
【０１４４】
以上、前述したように、本実施形態では、サブ制御部Ａ１２１によって、スマートフォンＢ１００のメディア記録情報と、デジタルカメラＡ１００のメディア記録情報に差分比較を行うようにした。これにより、サブ制御部Ａ１２１は比較結果を基に撮像再生部Ａ１２０の電源を投入することが可能となる。
【０１４５】
ここで、第１の実施形態では、スマートフォンＢ１００側でメディア記録情報を比較していた。そのため、デジタルカメラＡ１００からメディア記録情報を読み出す行為で、一度、近距離無線通信を確立する。さらに、メディア記録情報の比較結果において、差分が有った場合にＰ２Ｐモードを介し遠距離無線通信の接続を確立するため、再度、近距離無線通信を確立する必要があった。
【０１４６】
しかしながら、本実施形態では、デジタルカメラ側でメディア記録情報の比較を行うため、一度の近距離無線通信の確立で、メディア記録情報に差分が有る場合は自動的に遠距離無線通信の接続を確立することが可能となる。
【０１４７】
（その他の実施例）
本発明は、前述の実施形態の１以上の機能を実現するプログラムを、ネットワークまたは記憶媒体を介してシステムまたは装置に供給する。そして、そのシステムまたは装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【０１４８】
Ａ１００  デジタルカメラ
Ａ１０１  制御部
Ａ１０２  撮像部
Ａ１０３  不揮発性メモリ
Ａ１０４  作業用メモリ
Ａ１０５  操作部
Ａ１１０  記録媒体
Ａ１１１  接続部
Ａ１１２  近距離無線通信部
Ａ１２０  撮像再生部
Ａ１２１  サブ制御部
Ａ１２２  セキュアメモリ部
Ａ１２３  電源投入部
Ｂ１００  スマートフォン
Ｂ１０１  制御部
Ｂ１０２  撮像部
Ｂ１０３  不揮発性メモリ
Ｂ１０４  作業用メモリ
Ｂ１０５  操作部
Ｂ１０６  表示部
Ｂ１１０  記録媒体
Ｂ１１１  接続部
Ｂ１１２  近距離無線通信部
【図１】
2016100722.tif 000003
【図６】
2016100722.tif 000004
【図７】
2016100722.tif 000005
【図８】
2016100722.tif 000006
【図１１】
2016100722.tif 000007
【図１２】
2016100722.tif 000008
【図１３】
2016100722.tif 000009
【図１４】
2016100722.tif 000010
【図２】
2016100722.tif 000011
【図３】
2016100722.tif 000012
【図４】
2016100722.tif 000013
【図５】
2016100722.tif 000014
【図９】
2016100722.tif 000015
【図１０】
2016100722.tif 000016